(57)【特許請求の範囲】
【請求項１】
軸流タービンダイアフラム（１０）であって、ブレードユニットの環状配列を備え、各ブレードユニット（１２）は、
翼（１８）と、
該翼と一体の半径方向内側プラットフォームおよび半径方向外側プラットフォームと、を備え、前記半径方向内側プラットフォームは、内側ダイアフラムリングのセグメント（１４）から成り、前記半径方向外側プラットフォームは、外側ダイアフラムリングのセグメント（１６）から成り、少なくとも外側リングセグメント（１６）は、係合手段（１６１，１６２，１６５，１６６）を含み、該係合手段は、前記ブレードユニットの環状配列における隣接する外側リングセグメントにおける相補的な係合手段と機械的に係合し、前記係合手段は、隣接する外側リングセグメントを連結しかつ自己支持タービンダイアフラムを形成するように作用し、各ブレードユニット（１２）の外側リングセグメント（１６）における係合手段は、外側リングセグメントの周方向に面した両方の側（１６３，１６４）におけるフック手段（１６１，１６５）を有し、該フック手段は、隣接するブレードユニットの隣接する外側リングセグメントにおける相補的な手段と係合し、前記フック手段は、隣接するブレードユニットに対する各ブレードユニットの軸方向位置を維持するように向けられ、
各ブレードユニット（１２）の外側リングセグメント（１６）における係合手段は、隣接するブレードユニットの外側リングセグメントにおける相補的な手段と係合する舌片（１６２）および溝（１６６）手段を有し、該舌片および溝手段は、隣接するブレードユニットに対する各ブレードユニットの半径方向位置を維持するように向けられ、
前記舌片および溝手段は、
（ｉ）外側リングセグメント（１６）の、周方向に面した第１の側（１６４）における溝（１６６）であって、該溝は、フック（１６５）の半径方向外側部分と、外側リングセグメントの、半径方向外側の、周方向に突出したリップ部分（１６７）との間のギャップとして形成されている、溝（１６６）と、
（ｉｉ）周方向に面した第１の側（１６４）における溝（１６６）と正反対に、外側リングセグメントの、周方向に面した第２の側（１６３）から周方向に突出した舌片（１６２）と、を含むことを特徴とする、軸流タービンダイアフラム（１０）。
【請求項２】
各ブレードユニット（１２）の内側リングセグメント（１４）も、係合手段（１４１，１４２）を有し、該係合手段（１４１，１４２）は、前記ブレードユニットの環状配列における隣接する内側リングセグメントにおける相補的な手段と機械的に係合し、かつ外側リングセグメントにおける係合手段と協働して自己支持タービンダイアフラムを形成するように働く、請求項１記載の軸流タービンダイアフラム。
【請求項３】
各ブレードユニット（１２）の内側リングセグメント（１４）における係合手段は、フック手段（１４１，１４２）を含み、該フック手段は、隣接するブレードユニットの隣接する内側リングセグメントにおける相補的なフック手段と係合し、前記フック手段は、隣接するブレードユニットに対する各ブレードユニットの軸方向位置を維持するように向けられている、請求項２記載の軸流タービンダイアフラム。
【請求項４】
前記フック手段は、翼（１８）の圧力面の近くにおいて半径方向に延びる溝（１４６）によって形成された第１のフック（１４１）、および翼の負圧面の近くにおいて半径方向に延びる溝（１４７）によって形成された第２のフック（１４２）である、請求項３記載の軸流タービンダイアフラム。
【請求項５】
半径方向内側リングセグメント（１４）の半径方向内側（１４９）は、シールとして構成されているか、またはシールを保持するように構成されており、前記シールは、ダイアフラム（１０）の比較的高圧の側と比較的低圧の側との間の漏れを制限するように働く、請求項１から４までのいずれか１項記載の軸流タービンダイアフラム。
【請求項６】
請求項１から５までのいずれか１項記載の軸流タービンダイアフラム用のブレードユニット。
【請求項７】
請求項１記載のタービンダイアフラムを組み立てる方法であって、
（ａ）個々のブレードユニット（１２）を最終形状に製造するステップと、
（ｂ）第１のブレードユニット（１２−１）を平らな面に配置して、別のブレードユニットと連結させるために準備するステップと、
（ｃ）第２のブレードユニットの外側リングセグメント（１６）の係合手段（１６１，１６２）が第１のブレードユニット（１２−１）の外側リングセグメント（１６）における相補的な係合手段（１６５，１６６）と係合するように、第２のブレードユニット（１２−１）を、前記第１のブレードユニットおよび前記平らな面と係合するように、軸方向に摺動させるステップと、
（ｄ）ダイアフラムの環が完成するまで、互いにかつ前記平らな面と既に係合したブレードユニットと係合するように、別のブレードユニットを軸方向に次々に摺動させるステップと、を含むことを特徴とする、請求項１記載のタービンダイアフラムを組み立てる方法。
【発明の詳細な説明】
【技術分野】
【０００１】
この開示は、タービン用のダイアフラムの構成、特に、軸流蒸気タービンにおけるダイアフラムのための新規の構造および組立て方法に関する。
【背景技術】
【０００２】
蒸気タービンダイアフラムを構成する公知の方法は、固定案内ブレードの環を内側リングと外側リングとの間に取り付けることである。それぞれのこのようなブレードは、翼部分が内側プラットフォームと外側プラットフォームとの間に延びているブレードユニットを有し、ブレードユニットは単一の構成部材として機械加工される。これは、"プラットフォーム"形の構成として知られる。それぞれのプラットフォームは、円筒のセグメントの形状であり、これにより、ブレードユニットの環が組み立てられると、内側プラットフォームは結合して内側ポート壁部を形成し、外側プラットフォームは結合して外側ポート壁部を形成する。内側プラットフォームは、内側リングに溶接される。内側リングは、タービンブレードを保持し、内側リングとタービンのロータシャフトとの間に作用するラビリンスシールのようなシーリング配列のための取付部を提供する。外側プラットフォームは、ダイアフラムに支持および剛性を提供する外側リングに溶接される。内側および外側リングのそれぞれは、通常、２つの半円形の半部を含む。これらの半部は、ダイアフラムの主軸線を含みかつブレードユニットの間を通る平面に沿って接合され、これにより、ダイアフラム全体は、ターボ機械のロータの周囲への組み付けのために２つの部分に分離させることができる。
【０００３】
ＨＰまたはＩＰ蒸気タービンダイアフラム用の既存のプラットフォーム構成は、概して、厚い金属板から切断されるか、鍛造されるか、または棒材から形成された、中実の内側および外側のリングを含む。大型タービンにおけるこのようなリングは、タービンの軸方向および半径方向で実質的な寸法、例えば１００ｍｍ〜２００ｍｍを有し、ダイアフラムの構成部材を溶接するコストは、大型蒸気タービンの工場渡し価格における大きな要因である。なぜならば、特に、必要な深溶け込み溶接が、ダイアフラムの製造のための最新式専門家溶接機器を必要とするからである。さらに、溶接は、ダイアフラムにおける冶金学的欠陥の原因となり得、溶接プロセスによって生じた応力を緩和するためにダイアフラムを熱処理することも必要である。
【発明の概要】
【発明が解決しようとする課題】
【０００４】
したがって、本発明の課題は、タービンダイアフラムの構成における溶接またはその他の金属接合技術の必要性を排除することである。
【課題を解決するための手段】
【０００５】
最も広い態様において、本開示は、ブレードユニットの環状配列を有する軸流タービンダイアフラムであって、それぞれのブレードユニットは、
翼と、
該翼と一体の半径方向内側および外側のプラットフォームとを備え、半径方向内側プラットフォームは、内側ダイアフラムリングのセグメントを含み、半径方向外側プラットフォームは、外側ダイアフラムリングのセグメントを含み、少なくとも外側リングセグメントは、ブレードユニットの環状配列における隣接する外側リングセグメントにおける相補的な係合手段と機械的に係合する係合手段を有し、該係合手段は、隣接し合う外側リングセグメントを連結しかつ自己支持タービンダイアフラムを提供するように作用する、軸流タービンダイアフラムを提供する。
【０００６】
上記概念は、ブレードユニットが完全に機械的手段によって組み立てられかつ保持されることを可能にし、これにより、ダイアフラムを、溶接またはその他の金属溶融または接着技術を用いることなくニアネットシェイプに構成することができる。
【０００７】
ダイアフラムを形成するためにブレードユニットを組み立てると、ダイアフラムの半径方向外側ポート壁部は、ブレードユニットの外側プラットフォームを形成する半径方向外側リングセグメントから成り、ダイアフラムの半径方向内側ポート壁部は、ブレードユニットの内側プラットフォームを形成する半径方向内側リングセグメントから成ることにも注意されたい。
【０００８】
明らかに、ブレードユニットの寸法および表面仕上げに関して、内側および外側リングセグメントを含むブレードユニットは、過剰な空力抵抗損失を回避するためにダイアフラムの内側および外側ポート壁部が十分に滑らかになるように、正確に製造されかつ互いに精密に合致させられるべきである。
【０００９】
ダイアフラムを軸方向に横切って作用する荷重、特に、ダイアフラムの外側リングに曲げ応力を生ぜしめる傾向がある、翼におけるタービン流体荷重に対してダイアフラム一体性を維持するために、それぞれのブレードユニットの外側リングセグメントにおける係合手段は、外側リングセグメントの周方向に面した両方の側におけるフック手段を有し、これらのフック手段は、隣接し合うブレードユニットの隣り合う外側リングセグメントにおける相補的な手段と係合し、フック手段は、隣接するブレードユニットに対するそれぞれのブレードユニットの軸方向位置を維持するように向けられている。
【００１０】
ダイアフラムを半径方向に横切って作用する荷重に対してダイアフラム一体性を維持するために、それぞれのブレードユニットの外側リングセグメントにおける係合手段は、隣接し合うブレードユニットの外側リングセグメントにおける相補的な手段と係合する舌片および溝手段を有し、舌片および溝手段は、隣接するブレードユニットに対するそれぞれのブレードユニットの半径方向位置を維持するように向けられている。
【００１１】
好適には、舌片および溝手段は、
（ｉ）外側リングセグメントの周方向に面した第１の側における溝であって、該溝は、フックの半径方向外側部分と、外側リングセグメントの、半径方向外側の、周方向に突出したリップ部分との間のギャップとして形成されている、溝と、
（ｉｉ）周方向に面した第１の側における溝と正反対の、外側リングセグメントの周方向に面した第２の側から周方向に突出した舌片と、を有する。
【００１２】
ダイアフラムを横切るタービン流体荷重の間に生じる曲げ応力に抵抗するために要求される場合、それぞれのブレードユニットの内側リングセグメントは、ブレードユニットの環状配列における隣接し合う内側リングセグメントにおける相補的な手段と機械的に係合し、かつ外側リングセグメントにおける係合手段と協働して自己支持タービンダイアフラムを形成するように作用する係合手段をも含んでよい。それぞれのブレードユニットの内側リングセグメントにおけるこのような係合手段は、隣接するブレードユニットの隣接する内側リングセグメントにおける相補的なフック手段と係合するフック手段を有してよく、フック手段は、隣接するブレードユニットに対するそれぞれのブレードユニットの軸方向位置を維持するように向けられている。外側リングセグメントにおける係合手段が、それ自体で、ダイアフラムを横切るタービン流体荷重に十分に抵抗するために十分であるならば、内側リングセグメントにおけるこのような係合手段は省かれてよい。
【００１３】
それぞれのブレードの半径方向内側リングセグメントにおけるフック手段は、翼の圧力側の近くにおける半径方向に延びる溝によって形成された第１のフックと、翼の負圧面の近くにおける半径方向に延びる溝によって形成された第２のフックとを含んでよい。
【００１４】
上記概念によるダイアフラムを構成するのに適したブレードユニットの実施の形態も開示される。
【００１５】
さらに、タービンダイアフラムを組み立てる方法は、
（ａ）個々のブレードユニットを最終形状に製造するステップと、
（ｂ）第１のブレードユニットを平らな面に配置して、別のブレードユニットと連結する準備を行うステップと、
（ｃ）第２のブレードユニットの外側リングセグメントにおける係合手段が第１のブレードユニットの外側リングセグメントにおける相補的な係合手段と係合するように、第２のブレードユニットを、第１のブレードユニットおよび平らな面と係合するように軸方向に摺動させるステップと、
（ｄ）ダイアフラムの環が完成するまで、互いにおよび平らな面と既に係合したブレードユニットと係合するように、別のブレードユニットを軸方向に次々に摺動させるステップとを含む。
【００１６】
係合手段がブレードユニットの内側リングセグメントにも設けられているならば、このような係合手段は、外側リングセグメントにおける係合手段に対して平行に互いに係合する。
【００１７】
本開示の別の態様は、以下の説明および添付の請求項を検討することから明らかになるであろう。
【００１８】
ここに開示された概念の実施の形態を、ここで、実寸ではない添付の図面を参照しながら説明する。
【図面の簡単な説明】
【００１９】
【図１Ａ】個々のブレードユニットから組み立てた後のＨＰまたはＩＰ蒸気タービンダイアフラムを示す、本概念の実施の形態の蒸気入口側を示す図である。
【図１Ｂ】図１Ａのダイアフラムの蒸気出口側を示す図である。
【図２】Ａは、図１の蒸気タービンダイアフラムに組み込む準備ができたブレードユニットの圧力面を示す三次元斜視図であり、Ｂは、図２Ａのブレードユニットの負圧面の図である。
【図３】Ａ〜Ｃは、ダイアフラムの組立て段階を示す図である。
【発明を実施するための形態】
【００２０】
図１Ａおよび図１Ｂはそれぞれ、主軸線Ｘ−Ｘを有する高圧または中圧蒸気タービンダイアフラム１０の前側もしくは入口側と、後側もしくは出口側とを示す。蒸気タービンダイアフラムは、通常、蒸気タービンダイアフラムの構成部材を互いに溶接することによって構成されるが、本開示によれば、ダイアフラム１０は、溶接またはその他の溶融または接着金属接合技術を用いることなく構成されてよい。
【００２１】
簡単にいえば、本概念は、ダイアフラム１０の全ての通常の特徴の部分、すなわち、翼１８、外側リング１６および内側リング１４をそれぞれのブレードユニット１２になるように一体化することである。これにより、全てのブレードユニットが機械的に接合されかつ取り付けられると、結果は、完成した物品を製造するために、溶接等を行うことなく形成された円形特徴部の最終的機械加工および／またはシールの取り付けのみを必要とする、完成したダイアフラムである。つまり、それぞれのブレードユニット１２は、ダイアフラム１０の環の完全なセグメントを形成する。図示された実施の形態では、５０個のセグメントが設けられているが、セグメントの数は、例えばダイアフラムの直径および翼の翼弦寸法に応じて変化してよい。
【００２２】
タービンに取り付けられると、外側リング（ひいてはダイアフラム全体）は、技術分野において公知のクロスキー位置決め手段（図示せず）によって周囲のタービンケーシング（図示せず）内に支持されてよい。
【００２３】
さらに詳しく見ると、それぞれのブレードユニット１２は、内側ダイアフラムリングのセグメント１４として作用する半径方向内側プラットフォームと、外側ダイアフラムリングのセグメント１６として作用する半径方向外側プラットフォームと、内側および外側ダイアフラムリング１４，１６の間に延びる翼１８とを有する。例示された実施の形態は、大型蒸気タービンのために従来使用されている、より頑丈な構成形式と比較して、内側ダイアフラムリングの半径方向厚さが著しく減じられた、半径方向でコンパクトな構成形式を有するダイアフラムである。しかしながら、ここで説明される概念は、例示されたものよりも半径方向で厚い内側リングを有するダイアフラムにも適用可能である。
【００２４】
図１Ａおよび図１Ｂに示されたダイアフラムの製造を可能にするために、ブレードユニットは、図２Ａ〜図３Ｃの斜視図に示したように製造され、組み立てられる。
【００２５】
ここで図２Ａおよび図２Ｂを参照すると、代表的なブレードユニット１２は、ダイアフラムを形成するために、隣接する同じブレードユニットと連結されるように準備された状態で示されている。図２Ａは、翼１８の圧力面（凹面）を見た図であり、図２Ｂは、翼の負圧面（凸面）を見た図である。溶接またはその他の溶融または接着金属接合技術を用いることなくダイアフラムの構成部材を互いにロックすることを可能にするため、少なくとも外側リングセグメント１６は、セグメントの、周方向に面した一方の側１６３における、フック１６１および舌片１６２の形式の係合手段を有するのに対し、セグメントの、周方向で反対側に面した側１６４は、フック１６５および溝１６６の形式の係合手段を有し、フック１６５および溝１６６は、それぞれフック１６１および舌片１６２に対して相補的な形状である。
【００２６】
フック１６１を形成するために、外側リングセグメント１６の入口側１６８の大部分は、軸方向に深い凹部を形成するために、半径方向および周方向の厚さにわたって切除される。凹部は、翼１８の圧力面の近くの位置まで軸方向に延び、フック１６１を形成する半径方向に延びる溝１６９において終わっている。フック１６５を形成するために、外側リングセグメント１６の出口側１７０における凹部は、入口側１６８における凹部の周方向範囲と合致するが、半径方向により延びておりかつ軸方向でより浅くなっており、フック１６５を形成する半径方向に延びる溝１７１において終わっている。
【００２７】
例示した実施の形態において、外側リングセグメント１６の側１６４における溝１６６は、好都合には、フック１６５の半径方向外側部分と、外側リングセグメントの、半径方向外側の、周方向に突出したリップ部１６７との間のギャップとして形成されている。周方向に突出した舌片１６２は、もちろん、側１６４における溝１６６と正反対に、外側リングセグメント１６の側１６３から突出していなければならない。
【００２８】
ダイアフラムへ組み立てる際、外側リングセグメントの側１６３は、周方向で隣接する外側リングセグメントの側１６４に当接し、側１６３におけるフック１６１は側１６４におけるフック１６５と係合し、これにより、ダイアフラム内でのブレードユニット１２の軸方向位置決めを提供し、側１６３における舌片１６２は側１６４における溝１６６と係合し、これにより、半径方向位置決めを提供する。完全に構成されたダイアフラムが、機能するタービンの部分であるとき、それぞれの翼１８の縁部１８１は前縁となり、縁部１８２は後縁となり、翼１８は蒸気の荷重を受ける。翼１８の前縁１８１から後縁１８２まで、すなわちダイアフラムの入口面から出口面まで軸方向にダイアフラムを横切って圧力降下が生じ、結果的な曲げモーメントが生じる。フック１６５とのフック１６１の連結は、この軸方向力および曲げモーメントに抵抗する。実際には、軸方向位置決めのためのフックと、半径方向位置決めのための舌片および溝との組合せは、互いに対する外側リングセグメント１６のクロスキー配置を提供し、これにより、ダイアフラム構造内でブレードユニット１２を安定させる。
【００２９】
例示した実施の形態において、タービンの運転中に軸方向に作用する蒸気荷重の全てを支持するためには、フック１６１／１６５のみでは十分ではないと仮定されており、したがって、内側リングセグメント１４にも、軸方向で連結するフック１４１および１４２の別の対の形式の、互いに相補的な係合手段が設けられている。
【００３０】
フック１４１を製造するためには、内側リングセグメント１４の入口側１４３の大部分は、深い凹部１４４を形成するために半径方向厚さにわたって切り取られ、この凹部は、翼１８の圧力面の近くの位置まで軸方向に延び、フック１４１を形成する半径方向に延びる浅い溝１４６において終わっている。しかしながら、フック１４２を製造するためには、翼１８の負圧面の近くにおいて、内側リングセグメント１４の出口側１４５に、半径方向に延びる浅い溝１４７を切り取ることだけが必要である。ダイアフラムへのブレードユニットの組立ての際、内側リングセグメント１４の軸方向凹部１４４は、周方向で隣接する内側リングセグメントの、周方向に面した側１４８と対面し、フック１４１はフック１４２と係合し、これにより、ダイアフラムにおけるブレードユニット１２の別の軸方向位置決めを提供する。
【００３１】
舌片１６２、溝１６６およびフック１４１，１４２，１６１，１６５の形状は、例示的である図面に示されたものとは異なることができる。例えば、舌片１６２およびスロット１６６は、Ｔ字形、鳩尾形またはその他のアンダカットまたは凹部形状であることができる。
【００３２】
ダイアフラム１０の組立てを、ここで図３Ａ〜図３Ｃを参照して説明する。図３Ａは、図２Ａおよび図２Ｂとの比較を可能にするために符号および引出し線が付されているが、図３Ｂおよび図３Ｃは、細部を不明確にすることを避けるために、そのような符号は付されていない。
【００３３】
まず、組立ての前に、ダイアフラムに組み込むための個々のブレードユニットが最終形状に製造される。図３Ａは、平らな面に配置され、ダイアフラムを形成するために別のブレードユニットと連結する準備がなされた第１のブレードユニット１２−１を示す。図３Ｂは、第２のブレードユニット１２−２の外側および内側リングセグメントにおける係合手段が第１のブレードユニット１２−１の外側および内側リングセグメントにおける相補的な係合手段と係合するように、第１のブレードユニットおよび平らな面と係合するように軸方向に摺動させられている第２のブレードユニット１２−２を示す。特に、第２のブレードユニットの外側リングセグメント１６の側１６３における舌片１６２は、第１のブレードユニットの外側リングセグメントの側１６４におけるスロット１６６と係合し、第２のブレードユニットの外側リングセグメントの側１６３におけるフック１６１は、第１のブレードユニットの外側リングセグメントの側１６４におけるフック１６５に係合し、第２のブレードユニットの内側リングセグメントにおけるフック１４１は、第１のブレードユニットの内側リングセグメントにおけるフック１４２に係合する。図３Ｃは、平らな面における最終的な係合および連結位置における第１および第２のブレードユニットと、第２のブレードユニットと係合するように軸方向に摺動させられている第３のブレードユニット１２−３とを示す。
【００３４】
図示された半径方向でコンパクトな実施の形態において、半径方向内側リング１２のそれぞれのセグメント１４の半径方向内側は、ダイアフラムがタービンに組み付けられたときにロータに対して直接にシールするための別個のシール（図示せず）を保持するように構成された周方向に延びた凹所１４９を有する。シールは、ダイアフラムの比較的高圧の側と比較的低圧の側との間の漏れを制限するために必要である。このようなシールは、例えばラビリンスシール、ブラシシールまたはリーフシールを含んでよい。これに代えて、半径方向内側リング１２のそれぞれのセグメント１４の半径方向内側はラビリンスシールとして構成されてよく、シーリングフィン（図示せず）が、それぞれのセグメントの半径方向内側から直接に、対面するロータに向かって突出する。
【００３５】
蒸気タービンダイアフラムのための従来の形式のプラットフォーム構成において、ブレードユニットは、翼と、内側および外側プラットフォームとを備えて完成した１つの構成部材として機械加工され、これにより、プラットフォームがそれぞれの内側および外側のリングに溶接されると、内側および外側のプラットフォームは結合して、周方向に連続した内側および外側ポート壁部を形成する。内側および外側リングセグメントを連結することを含む本発明の概念も、周方向に連続した内側および外側ポート壁部を生じることが、図面および上記説明から認められるであろう。しかしながら、内側および外側ポート壁部は、過剰な空力抵抗損失を回避するために十分に滑らかでなければならず、このために、内側および外側リングセグメントの係合手段は、寸法および表面仕上げに関して、正確に製造され、互いに精密に合致させられるべきである。
【００３６】
ここに提案された概念の採用は以下の利点を提供する。
−シールまたは同様のものの可能な付加以外に、ダイアフラムが組み立てられた後、隣接するターボ機械に対するダイアフラムのシーリングのために、ダイアフラムの構成における溶接またはその他の金属接合技術の必要性が排除され、コストの結果的な節約および短縮された製造時間を伴う。
−溶接の排除は、ダイアフラムの構造における欠陥の可能な原因を排除する。
−ダイアフラムの構成において一般的に使用される溶接の形式は、通常、最新かつ高価なレーザまたは電子ビーム溶接機器を必要とする深溶け込み溶接を含む。したがって、溶接の排除は、タービンダイアフラムの構成のための製造設備の選択におけるより多くの選択肢を可能にする。
【００３７】
上記実施の形態は、単なる例として上述されているが、添付の請求項の範囲で変更を行うことができる。つまり、請求項の広さおよび範囲は、上述の例示的な実施の形態に限定されるべきではない。請求項および図面を含む明細書に開示された各特徴は、そうでないことが明示的に述べられない限り、同じ、均等または類似の目的を果たす択一的な特徴と置き換えられてよい。
【００３８】
文脈がそうでないことを明らかに要求しないかぎり、説明および請求項を通じて、"含む"、"含んでいる"という用語および同様のものは、排他的または網羅的な意味とは反対に包括的に、すなわち"含んでいるが、限定されない"という意味に解釈されるべきである。
【符号の説明】
【００３９】
１０  タービンダイアフラム
１２  ブレードユニット
１２−１  アセンブリのための第１のブレードユニット
１２−２  アセンブリのための第２のブレードユニット
１２−３  アセンブリのための第３のブレードユニット
１４  内側ダイアフラムリングセグメント
１４１  フック
１４２  フック
１４３  内側リングセグメント１４の入口側
１４４  溝
１４６  フック１４１を形成する溝
１４７  フック１４２を形成する溝
１４８  内側リングセグメント１４の周方向に面した側
１４９  内側リングセグメント１４の半径方向内側／周方向に延びる凹所
１６  外側ダイアフラムリングセグメント
１６１  フック
１６２  舌片
１６３  外側リングセグメント１６の第１の周方向に面した側
１６４  外側リングセグメント１６の第２の周方向に面した側
１６５  フック
１６６  溝
１６７  リップ
１８  翼
１８１  翼１８の前縁
１８２  翼１８の後縁
【図１Ａ】
0005627734.tif 000002
【図１Ｂ】
0005627734.tif 000003
【図２】
0005627734.tif 000004
【図３】
0005627734.tif 000005